(57)【要約】【課題】部屋内の空気に滞りが生じがちの窓側の部屋の隅部の空気の流れを良くするとともに、部屋からの排気のための排気口を、広い範囲に渡るよう複数個所に開設するのが、見苦しくない状態として行えるようにする。【解決手段】チャンネル状に成形して、構築した建物の部屋Ｒの天井部の窓ｗ側に装設するブラインドボックス２の、部屋Ｒの天井板１０の上方の天井裏の空間Ｓに露出する部位に、その天井板１０の上方の空間Ｓに対して連通する開口ａを、そのブラインドボックス２の長手方向の略全長に渡る範囲に適宜数並列させて形設し、天井板１０の上方の空間Ｓ内には、ブラインドボックス２に並列するチャンバー４を配設して、それの内腔をブラインドボックス２に形設した前記開口ａに連通させ、このチャンバー４に排気ダクト５を接続して、その排気ダクト５に連通する吸引式の送風機によりブラインドボックス２の内腔を介して部屋Ｒの空気を抽き出す。【選択図】        図１
2004177024.tif 000002
【特許請求の範囲】
【請求項１】
金属材により長尺の下向きのチャンネル状に成形して、構築した建物の部屋Ｒの天井部の窓ｗ側に装設するブラインドボックス２の、部屋Ｒの天井板１０の上方の天井裏の空間Ｓに露出する部位に、その天井板１０の上方の空間Ｓに対して連通するスリット状の開口ａを、そのブラインドボックス２の長手方向の略全長に渡る範囲に適宜数並列させて形設し、天井板１０の上方の空間Ｓ内には、ブラインドボックス２に並列するチャンバー４を配設して、それの内腔をブラインドボックス２に形設した開口ａに連通させ、このチャンバー４に排気ダクト５を接続して、その排気ダクト５に連通する吸引式の送風機によりブラインドボックス２の内腔を介して部屋Ｒの空気を抽き出すことを特徴とする建物の部屋の換気装置における排気装置。
【請求項２】
開口ａを、ブラインドボックス２の天板２０の、部屋Ｒの窓ｗ側に偏位する部位に開設し、ブラインドボックス２の天板２０の下面で、ブラインドボックス２内に装着するブラインドカーテン２２にヘッドボックス２３と前記開口ａとの間に、天板２０から垂下する隔壁２５を装設しておくことを特徴とする請求項１記載の建物の部屋の換気装置における排気装置。
【請求項３】
天井板１０の上方の空間Ｓ内に配設するチャンバー４を、ブラインドボックス２の天井板１０の上方の空間Ｓ内に露出する部位に対し、一体的に連結して、ブラインドボックス２の取付金具とし、このチャンバー４を建物駆体１に設ける支持金具３２に連結することでブラインドボックス２を建物駆体１に装着するようにしたことを特徴とする請求項１記載の建物の部屋の換気装置における排気装置。
【請求項４】
開口ａをブラインドボックス２の天板２０に開設し、ブラインドボックス２に並列させて天井板１０の上方の空間Ｓ内に配設するチャンバー４を、下方が開放する断面が下向きのチャンネル状に成形して、それの下端側を、ブラインドボックス２の上面側に一体的に閉じ合わせ、ブラインドボックス２の天板２０をチャンバー４の底板に共用させることを特徴とする請求項１記載の建物の部屋の換気装置における排気装置。
【発明の詳細な説明】
【０００１】
【発明が属する技術分野】
本発明は建物の室内の空気を、排気口から抽き出し、別に設ける吹出口から浄化したまたは調製した空気を吹き出して換気する換気装置において、室内の空気を室外に排出させるための排気装置についての改良に関する。
【０００２】
【従来の技術】
室内の空気を入れかえるよう建物に設ける換気装置による部屋の換気は、従前手段にあっては、室内の空気を排出させるための排気口を、室内の天井または壁の一部に設けて、これに、吸引式の送風機を組み付け、それの吹出側に送気ダクトを接続するか、排気口にダクトを接続して、それの先端側に吸引式の送風機を組み付けることで、室内の空気を室外に排出させ、別に部屋の天井または壁に設ける送気口から、新鮮なまたは清浄機を経た清浄な空気を吹き込むようにすることで行うか、または、排気口に接続する排気ダクトを温調施設または空気清浄機に接続・連通し、その温調施設または空気清浄機の吐風口を、部屋の天井または壁の一部に別に設ける送気口に接続・連通して、その吹込口から部屋の内部に送り込むように循環させることにより換気が行われるように構成している。
【０００３】
【発明が解決しようとする課題】
従前の建物の部屋の空気を入れ換えるように設ける換気装置は、部屋の空気を室外に抽き出すための排気口を、部屋の天井または壁の一部に開設して、そこから室内に排出させ、別に部屋の天井または壁の一部に送気口を設けて、そこから室内に新鮮な、または清浄な空気を吹き込むようにすることで換気を行うようにすることから、排出されていく部屋内の空気の流れがこの一つの排気口に集中していくことで、部屋内の空気に含まれた塵埃の汚れが排気口に向かう天井面または壁面に条状に付着してきて見苦しくなることと、部屋内の空気の流動を制約して、特に排出口から離れて位置する部屋の窓側における部屋の隅部に空気の流れの悪いところを生ぜしめる問題がある。
【０００４】
本発明は、従前の建物の部屋の換気手段に生じているこの問題を解決するためになされたものであって、部屋内の空気に滞りが生じがちの窓側の部屋の隅部の空気の流れを良くするとともに、部屋からの排気のための排気口を、広い範囲に渡るよう複数個所に開設するのが、見苦しくない状態として行えるようにする新たな手段を提供することを目的とする。
【０００５】
【課題を解決するための手段】
上述の目的を達成するための手段として、本発明においては、建物の部屋の換気のために、その部屋に設ける排気口は、部屋の窓側の天井部に、カーテンまたはブラインドの吊り下げ用として装設するチャンネル状のブラインドボックスを利用し、これの天板または前後の壁板に、そのブラインドボックスの長手方向に長いスリット状の開口を、適宜の間隔をおいて並列させて開設し、この開口を部屋の天井の上方の天井部空間に対し連通させて、そこに配設するチャンバーに連通し、そのチャンバーに吸気ダクトを接続させることで、排気ダクトの作動により、部屋の窓側の天井部に装設するブラインドボックスの天板または側壁板に開設した開口を排気口として、部屋内の空気が抽き出されるようにし、これに換わって、部屋の天井または壁の適宜位置に別に設けておく送気口から、新鮮な空気、または清浄機を経た清浄な空気が流れ込むことで、換気が行われるようにする手段を提起するものである。
【０００６】
これにより部屋内の空気は、部屋の天井板の窓側に設けてあるブラインドボックスに向けて流れ、そのブラインドボックス内をガイドとして、それの天板または前後の壁板に開設した開口よりなる排気口から排出されるようになることで、実質的には、このブラインドボックスを排気口として室内の空気が室外に排出されるようになり、排気口を部屋の窓側の左右方向の略全面に開設したようになり、室内の換気による空気の流れに滞りを生ぜしめないようになる。
【０００７】
【発明の実施の形態】
次に、本発明の実施の態様を、実施例につき、図面に随い詳述する。
図１は、本発明手段による建物の部屋の換気装置における排気手段の縦断側面図で、同図において、１は建物の駆体、Ｒはその建物駆体１に設けた部屋、１０はその部屋Ｒの天井板、ｗは窓枠１１にガラス板１２をフィックスに装着して閉鎖されたその部屋Ｒの窓、２はこの窓ｗの内側位置に装設したブラインドボックス、Ｓは天井板１０の上方で上階の部屋Ｒ’の床部材１３の梁１４の下面側に形成される天井上方の空間、１５は建物駆体１の外壁面側の鉄材よりなる構造体を被覆する断熱材を示す。
【０００８】
建物駆体１の部屋Ｒの窓ｗ側に装設するブラインドボックス２は、図１にあるように、アルミ合金などの軽合金の金属材の押し出し成形または金属板の折曲げ成形により長尺の下向きチャンネル状のボックスに形成し、それの天板２０の上面側に設けておく取付座２１に取付金具３０を組み付けて、図２にあるように、それに連結する吊金具３１を、建物駆体１の梁または階上の床部材１３に設けておくアンカーボルトなどの適宜の支持金具に連結することで、建物駆体１に装設するようにし、また、天板２０の下面側に設けておく組付座に、バーチカルまたはホリゾンタルのブラインドカーテン２２のヘッドボックス２３を組み付けることで、ブラインドカーテン２２を装着するようにする通常のものである。
【０００９】
そして、このブラインドボックス２は、図示する実施例では、それの天板２０の上面側に取付金具３０を介して連結した吊金具３１の上端側を、梁１４を構成するＨ型鋼を利用してそれに取り付けたＣ型チャンネルよりなる支持金具３２に連結することで建物駆体１に装着するようにしてあり、また、ボックスの天板２０の下面側にヘッドボックス２３を組み付けて装設するブラインドカーテン２２は、水平なルーバーが多連に並列するホリゾンタルのブラインドカーテンとしている。
【００１０】
しかして、上述のように構成して建物駆体１に装設するブラインドボックス２には、天井板１０の上方で梁１４または上階の部屋Ｒ’の床部材１３の下方に形成される空間Ｓ内に突入する部位の天板２０または前後の壁板２４に、図３にあるように、ブラインドボックス２の長手方向に沿う長穴状の開口ａを、その長手方向に適宜の間隔をおいて、列状に並列させて開設し、ブラインドボックス２の内腔が、この開口ａ…を介して天井板１０の上方の空間Ｓに対し連通するようにする。
【００１１】
そして、天井板１０の上方の空間Ｓには、ブラインドボックス２に開設した開口ａに連通するチャンバー４を配設し、これに、排気ダクト５を接続し、そのダクト５の先端側を、排気口が建物の屋外に対し開放する送風機の吸気口に接続するか、建物駆体１の屋内に設置せる機械室に配設しておく温調施設７の吸気口に接続して、送風機または温調施設７に組み込まれた送風機の作動により、部屋Ｒ内の空気が、ブラインドボックス２の内腔を経て、それの天板２０または前後の壁板２４に開設した開口ａ…を介して天井板１０上方の空間Ｓに流出し、チャンバー４および排気ダクト５を経て排出されていくようにする。
【００１２】
この部屋Ｒ内の空気を排出させる排気口とするようブラインドボックス２に設ける開口ａは、そのボックス２の、天井板１０の上方の空間Ｓに対して露出している部位に開設してあればよいものであり、前述したように、ブラインドボックス２の天板２０または前後の壁板２４の適宜位置に開設するが、図１に示す実施例においては、ブラインドボックス２の天板２０の、窓ｗ側に偏る部位に長穴状のスリットとして開設してあり、かつ、適宜の間隔をおいて、ブラインドボックス２の長手方向に列状に並設し、そのブラインドボックス２の略全長に渡る範囲に開設しておいて、これにより、部屋Ｒ内の空気の排気が、実質的には、このブラインドボックス２を排気口として行われるようにしている。
【００１３】
また、ブラインドボックス２には、それの内腔で、前述した如く、窓ｗ側に偏位させて開設した開口ａと天板２０の下面に吊り下げ装着したブラインドカーテン２２との間に位置する部位に、図４にあるように、そのブラインドカーテン２２を開口ａに対して隔てる隔壁２５を天板２０から垂下するように装設する。
【００１４】
この隔壁２５は、図示する実施例では、ブラインドボックス２の天板２０の下面に装着したブラインドカーテン２２が、それのヘッドボックス２３の下面側に畳み込まれた状態のときに、それを開口ａに対して遮閉する程度の垂下長さに形成して天板２０下面に垂設してあって、ブラインドボックス２内に流入して天板２０の窓ｗ側に偏位させて開設した開口ａに向けて流れる部屋Ｒ内からの排気の流れがブラインドボックス２内のブラインドカーテン２２のヘッドボックス２３により乱されて、部屋Ｒからの排気が阻害されるのを防ぐようにしているが、開設する開口ａの位置および開口巾の選択・設定によっては省略してもよい。
【００１５】
天板２０の上方の空間Ｓ内に配設して、ブラインドボックス２に開設する開口ａと接続・連通させるチャンバー４は、吸引式の送風機により行う部屋Ｒの排気を効率的にするためのもので、金属板または樹脂板により箱状に成形して、装設したブラインドボックス２の略全長に渡る長さの範囲に、それに並列させて装設し、ブラインドボックス２に開設してある開口ａを、このチャンバー４の内腔に対し接続・連通させ、そのチャンバー４の適宜の部位に、排気ダクト５を接続し、それに吸引式の送風機の吸気側を連通させることで、ブラインドボックス２に設けた多数の開口ａから排出される排気をこのチャンバー４内に集め、それを排気ダクト５により吸引して屋外に排出させるか、または温調施設・空気清浄機に導くようにする。
【００１６】
このチャンバー４は、排気口とする開口ａを、ブラインドボックス２の天板２０に設けた場合にあっては、天井板１０の上方の天井裏の空間Ｓ内において、このブラインドボックス２の天板２０の上面に重合するようにするが、そのとき、このチャンバー４の底面側をブラインドボックス２の天板２０の上面に対して一体的に連結するよう閉じ合わせ、かつ、チャンバー４の天板４０の上面に、ブラインドボックス２の天板２０の上面に形設しておく取付座２１と同様の取付座４１を形設しておくことで、このチャンバー４の天板４０の上面に設けた取付座４１に取付金具３０を組み付けて、それに吊金具３１を連結し、その吊金具３１を建物駆体１に設けた支持金具３２に連結することで、図１に示している例のように、このチャンバー４がブラインドボックス２の取付金具を兼ねたものとなって、ブラインドボックス２と一緒に建物駆体１に装設し得るようになる。
【００１７】
チャンバー４をこのようにブラインドボックス２と一体的閉じ合わせて連結し、ブラインドボックス２の取付金具を兼ねたものとするときは、チャンバー４は、前述の図１にあるように、下方が開放するチャンネル状に成形して、ブラインドボックス２に閉じ合わせて連結した状態において、そのブラインドボックス２の天板２０をチャンバー４の底板に共用してチャンバー４を構成するようにしてよい。
【００１８】
また、このとき、ブラインドボックス２には、それの、前後の壁板２４・２４の各外面に、長手方向視において断面がアリ溝をなす組付座２６を形設しておいて、ここに、図５にあるように、チャンバー４とブラインドボックス２とを重合状態に連結したときに、それらの外周に嵌合するようゲート状に成形した緊縛バンド６の下端側を連結金具６０により連結し、そのバンド６の上部をチャンバー４の天板４０の上面に連結金具６１により連結することで、このチャンバー４とブラインドボックス２とを一体的に緊縛するようにしておくことは有効である。
【００１９】
次に、図６は、前述のブラインドボックス２に開設した開口ａからチャンバー４の内腔およびそれに接続させた排気ダクト５を経て行われる部屋Ｒの排気を、温調施設７または空気清浄機に導いて浄化させ、その浄化した清浄な空気を、部屋Ｒの適宜位置に設置する吹出口から吹き出させて、部屋Ｒの換気が温調施設７を経て循環することで行われるようにする場合の全体の概要図を示している。
【００２０】
同図において、２…は部屋Ｒの窓ｗ側に設けたブラインドボックス、４はチャンバー、５は排気ダクト、８は建物駆体１に設けた機械室、７はその機械室８に設置せる温調施設、７０は排気ダクト５に接続する温調施設７の空気の取入口、７１は調製した空気の吹出口、７２はそれに接続した吐風ダクト、９は部屋Ｒに設けた送気口を示している。
【００２１】
部屋Ｒの床は、図７にあるように、スラブよりなる床部材１３の上面と敷設した床板１６との間に導風路となる空間が形成してあって、その床板１６に部屋Ｒ内に調製した空気を吹き出す送気口９が設けてあり、調製した空気の部屋Ｒ内への吹き出しが床面から行われるようにしている。
【００２２】
【発明の効果】
以上説明したように、本発明による建物の部屋の換気装置における排気手段は、部屋の換気のための排気を、部屋Ｒの窓ｗ側の天井部に装設するブラインドカーテン２２の装着用のブラインドボックス２が実質的に排気口となって、天井板２０の上方の空間Ｓに配設したチャンバー４および排気ダクト５を経て排出されるようになることから、部屋Ｒに排気口が窓面に沿う広い範囲に設けられたことになって、部屋Ｒ内の空気の流れに滞りを生ぜしめないようになり、また、コストをかけず、かつ、見苦しさを生ぜしめずに、部屋に多数の排気口を設けた結果が得られるようになる。
【図面の簡単な説明】
【図１】本発明手段を実施した建物の部屋の換気装置における排気装置の要部の縦断側面図である。
【図２】同上装置に用いるブラインドボックスの建物躯体に組付け施工した状態における縦断側面図である。
【図３】同上ブラインドボックスの同上状態における平面図である。
【図４】同上ブラインドボックスの別の実施例のジョイント部の縦断側面図である。
【図５】同上ブラインドボックスの上面に重合して閉じ合わせたチャンバーを緊縛バンドでブラインドボックスに緊縛した状態の縦断側面図である。
【図６】本発明手段を実施した建物の部屋の換気装置における排気装置の温調施設に組合わせた例の一部破断した平面図である。
【図７】同上装置の一部破断した正面図である。
【符号の説明】
Ｒ・Ｒ’…部屋、Ｓ…空間、ｗ…窓、ａ…開口、１…建物駆体、１０…天井板、１１…窓枠、１２…ガラス板、１３…床部材、１４…梁、１５…断熱材、１６…床板、２…ブラインドボックス、２０…天板、２１…取付座、２２…ブラインドカーテン、２３…ヘッドボックス、２４…壁板、２５…隔壁、２６…組付座、３０…取付金具、３１…吊金具、３２…支持金具、４…チャンバー、４０…天板、４１…取付座、５…排気ダクト、６…緊縛バンド、６０…連結金具、７…温調施設、７０…取入口、７１…吹出口、７２…吐風ダクト、８…機械室、９…送気口。
【図１】
2004177024.tif 000003
【図２】
2004177024.tif 000004
【図３】
2004177024.tif 000005
【図４】
2004177024.tif 000006
【図５】
2004177024.tif 000007
【図６】
2004177024.tif 000008
【図７】
2004177024.tif 000009